(57)【要約】      （修正有）【課題】天板などが左右に動いたり、上方向に移動せず、かつ高さ調整を可能とするキッチンを提供する。【解決手段】脚部本体部と、高さ調整部と、からなる脚部と、前記脚部に支持される天板と、を備えるキッチンにおいて、前記脚部が、床固定部を備え、また前記床固定部は、高さ調整部を操作可能な開放部を備える。さらには、前記開放部を隠蔽する隠蔽部を備える。【選択図】図１
2005278712.tif 000002
【特許請求の範囲】
【請求項１】
脚部本体部と、高さ調整部と、からなる脚部と、
前記脚部に支持される天板と、を備えるキッチンにおいて、
前記脚部が、床固定部を備えることを特徴とするキッチン。
【請求項２】
前記床固定部は、高さ調整部を操作可能な開放部を備えることを特徴とする請求項１記載のキッチン。
【請求項３】
前記開放部を隠蔽する隠蔽部を備えることを特徴とする請求項２記載のキッチン。
【請求項４】
床固定部を床に固定する工程と、
前記床固定部へ高さ調整済みの脚部を組み立てる工程と、
からなることを特徴とするキッチンの高さ調整方法。
【発明の詳細な説明】
【技術分野】
【０００１】
本発明は、高さ調整部を備えるキッチンに係り、特に天板などの揺れや上方向への引き抜き防止などに好適なキッチンに関する発明である。 
【背景技術】
【０００２】
従来のキッチンの高さ調整方法は、支柱の上部に高さを調整する機構を設けており、床に接する部分は、キャスターを設け移動できるようにしている。（例えば、特許文献１参照。）。
また、支柱の下部に高さ調整する機構を設け、床に接地したまま高さを調整できるものものもある。（例えば、特許文献２参照。）。 
このような場合、キッチンに力が加われば、キッチンが動いてしまい調理作業に支障が出る恐れの問題があった。
【特許文献１】実公平０７−４２３３５号公報
【特許文献２】特開２０００−１２１号公報
【発明の開示】
【発明が解決しようとする課題】
【０００３】
しかし天板に対して上方向に力が加わるとキッチン自体が上方向に動くという問題があった。
【課題を解決するための手段】
【０００４】
上記目的を達成するために請求項１記載の発明のよれば、脚部本体部と、高さ調整部と、からなる脚部と、
前記脚部に支持される天板と、を備えるキッチンにおいて、
前記脚部が、床固定部を備えることを特徴とするキッチンを提供する。よって、高さ調整ができると共に床固定も可能となる。
【０００５】
また、請求項２記載の発明のよれば、前記床固定部は、高さ調整部を操作可能な開放部を備えることを特徴とする請求項１記載のキッチンを提供する。よって、床固定部の開放部に高さ調整部の操作部が収まる機構にすることにより、床固定部が別部材で露出することなく、コンパクトな外観を保つことが可能となる。
【０００６】
また、請求項３記載の発明のよれば、前記開放部を隠蔽する隠蔽部を備えることを特徴とする請求項２記載のキッチンを提供する。よって、高さ調整部に高さ調整部を固定する機能を持った隠蔽部を備えることにより、高さ調整機構と床固定部を隠蔽し良好な外観を保つことがが可能となる。
【０００７】
また、請求項４記載の発明のよれば、床固定部を床に固定する工程と、
前記床固定部へ高さ調整済みの脚部を組み立てる工程と、
からなることを特徴とするキッチンの高さ調整方法を提供する。よって、キッチンの天板を支持する複数の脚部はキッチンにおけるカウンターの高さ調整だけでなく、床固定部を備えることが可能となる。よって、キッチン作業において使う人に適したキッチンカウンター高さを確保でき、また、床の不陸にも対応し、かつキッチン自体の安定性を確保することが可能となる。
【発明の効果】
【０００８】
本発明は、上記問題を解決するためになされたもので、本発明の課題は、天板などが左右に動いたり、上方向に移動せず、かつ高さ調整を可能とするキッチンを提供することである。
【発明を実施するための最良の形態】
【０００９】
以下に本発明の実施の形態を添付図面に基づいて説明する。図１は本発明の実施にかかるキッチンの全体的な構成を概略的に示す略図である。このキッチンは図１に示すように、調理機器３と水栓金具を有するシンク４と調理機器３とシンク４の間に調理スペース５を有する天板２を８本の脚部１で支持することで構成している。脚部１の脚部本体８は角パイプ状のもので脚部１は天板の長辺側に４本づつ配置されている。また脚部１は２本づつ３本の横桟６によって連結されている。なお、本発明においては、この横桟６はなくてもよい。
【００１０】
以上のような構成において、脚部１は後で詳述する高さ調整ができる高さ調整部１０と床固定ができる脚部固定部１３の備わった構造になっており、そのため、使う人によりキッチンの天板高さを調整し、また、キッチン自体動いたりすることのないように床固定することができる。
【００１１】
図２は脚部１に備わっている高さ調整と床固定の構成を説明する断面図である。また、図３は高さ調整部１０と脚部固定部１３を構成する部材を説明する床固定の施工する前の斜視図である。ここで固定方法について説明する。
まず、床固定部１４を床に置き、ドライバーをコ字状の床固定部上面１４ｃにある床固定部上面切欠き部１４ｄに通しねじ１６で床固定部接地面１４ａの中央に空いた穴から床に固定する。
【００１２】
脚部本体部７はパイプ状の脚部本体８と脚部本体８の先端に装着するナット部９により構成される。ナット部９は脚部本体８との着脱が可能である。高さ調整部は操作部１２とねじ部１１によりなる。ねじ部１１の先端は脚部本体部７のナット部９にねじ込まれ、操作部１２を回転させることにより、ねじ部１１がナット部にねじ送りされ高さを調整する。
【００１３】
高さを調整した後、ねじ部１１に装着している隠蔽部１５を上方に上げた状態で、操作部１２ａを床固定部１２のＡの方向から床固定部開放部１４ｂに収まるように脚部本体部７と高さ調整部１０を移動する。このとき、ねじ部１１は床固定部上面切欠き部１４ｄに収まる。床固定部開放部１４ｂの高さと操作部１２の高さはほぼ同じであるため、床固定部開放部１４ｂに高さ調整部の操作部１２を収めることで、床固定部上面１４ｃが操作部上面１２ｂを押さえることで、脚部本体支柱７およびキッチン全体の上方への動きを抑える。このとき、床固定部上面１４ｃがコ字状になっていることにより、床固定部開放部１４ｂに操作部１２を収めることと、操作部上面１２ｂを押さえることが可能となる。操作部１２を床固定部開放部１４ｂに収めた後、操作部１２を回転させて、不陸による高さの微調整をおこなう。
【００１４】
微調整を行った後、上方に上げておいた隠蔽部１５を隠蔽部下辺部１５ａが床に接するまで下に降ろす。隠蔽部１５の内部形状と床固定部１４の外形は一部分が同形状であり、床固定部１４を隠蔽部１５で覆うと床固定部１４と隠蔽部１５の内部が一部分接するようになっている。よって、隠蔽部１５を床固定部１４にかぶせることで、高さ調整部１０が床固定部開放部１３ｂよりＡ方向に外れることを防ぐ。
【図面の簡単な説明】
【００１５】
【図１】本発明のキッチン全体を示す斜視図である。
【図２】本発明の高さ調整部分を示す断面図である。
【図３】本発明の高さ調整部分と床固定部分を組合わせる前を示す斜視図である。
【図４】本発明の実施例のバリエーションを示す斜視図である。（高さ調整部分と床固定部分を組合わせる前の斜視図）
【符号の説明】
【００１６】
１…脚部
２…天板
３…調理機器
４…シンク
５…調理スペース
６…横桟
７…脚部本体部
８…脚部本体部支柱
９…ナット部
１０…高さ調整部
１１…ねじ部
１２…操作部
１２ａ…操作部上面
１３…脚部固定部
１４…床固定部
１４ａ…床固定部接地面
１４ｂ…床固定部開放部
１４ｃ…床固定部上面
１４ｄ…床固定部上面切欠き
１５…隠蔽部
１５ａ…隠蔽部下辺部
１６…ねじ
【図１】
2005278712.tif 000003
【図２】
2005278712.tif 000004
【図３】
2005278712.tif 000005
【図４】
2005278712.tif 000006